(57)【要約】【課題】ハードディスク及びカード状記録媒体の両者に情報の記録及び／または情報の再生を行うことができ、前記カード状記録媒体が、筐体内で生じる熱の影響を受けることを抑制することが可能であると共に、小型化が達成された情報記録再生装置を提供する。【解決手段】ＨＤＤ６０及びカード状記録媒体の両者に情報の記録及び／または情報の再生を行うことができ、筐体１１と、筐体１１内に配設されるＨＤＤ６０と、筐体１１内に配設されるカード状記録媒体用コネクタと、を備え、筐体１１は、その一側面が使用者に把持されるグリップ部１７となり、カード状記録媒体用コネクタをＨＤＤ６０よりもグリップ部１７側に配設してなる情報記録再生装置１である。【選択図】図１９
2009171452.tif 000002
【特許請求の範囲】
【請求項１】
ハードディスク及びカード状記録媒体の両者に情報の記録及び／または情報の再生を行う情報記録再生装置であって、
筐体と、
前記筐体内に配設されるハードディスクドライブと、
前記筐体内に配設されるカード状記録媒体用コネクタと、
を備え、
前記筐体は、その一側面が使用者に把持されるグリップ部となり、
前記カード状記録媒体用コネクタを、前記ハードディスクドライブよりも前記グリップ部側に配設してなる情報記録再生装置。
【請求項２】
前記筐体内に配設されると共に、信号処理用の集積回路が実装されたメイン回路基板をさらに備え、
前記ハードディスクドライブは、前記回路基板と、前記カード状記録媒体用コネクタとの間に配設されてなる請求項１記載の情報記録再生装置。
【請求項３】
前記カード状記録媒体用コネクタが実装されたカード状記録媒体用回路基板と、
前記カード状記録媒体用回路基板が固定されるフレームと、
をさらに備え、
前記カード状記録媒体用回路基板は、前記ハードディスクドライブ側から前記フレームに螺子止めされてなる請求項１または請求項２記載の情報記録再生装置。
【請求項４】
前記カード状記録媒体用回路基板は、前記カード状記録媒体用コネクタのカード状記録媒体挿入方向に対し略垂直な両側近傍位置で、前記フレームに螺子止めされてなる請求項３記載の情報記録再生装置。
【請求項５】
前記カード状記録媒体用回路基板は、前記カード状記録媒体用コネクタのカード状記録媒体挿入方向の奥側で、前記フレームに螺子止めされてなる請求項４記載の情報記録再生装置。
【請求項６】
前記ハードディスクドライブを収容すると共に、前記筐体に固定されるケースをさらに備え、
前記フレームは、前記ハードディスクドライブを収容したケースの前記グリップ部側に固定されてなる請求項３ないし請求項５のいずれか一項に記載の情報記録再生装置。
【請求項７】
前記ハードディスクドライブ及び前記カード状記録媒体用回路基板は、フレキシブルプリント基板によって前記メイン回路基板と接続されてなり、当該フレキシブルプリント基板は、当該メイン回路基板に接続される側が一体的に形成され、前記ハードディスクドライブ及び前記カード状記録媒体用回路基板に接続される側が分岐されており、当該分岐された各々が、前記ハードディスクドライブと、前記カード状記録媒体用回路基板にそれぞれ接続されてなる請求項３ないし請求項６のいずれか一項に記載の情報記録再生装置。
【発明の詳細な説明】
【技術分野】
【０００１】
本発明は、ハードディスク及びカード状記録媒体の両者に情報の記録及び／または情報の再生を行う情報記録再生装置に関する。
【背景技術】
【０００２】
従来から、例えば、ビデオカメラ内の回路基板に搭載されたＬＳＩ等の回路部品から生じる熱の放熱対策として、情報記録再生装置の骨格となる金属フレームに熱伝導率に優れた銅板等の放熱板を接続して外部の筐体に放熱する構造とし、放熱板と回路基板間を放熱ゴムで接続して放熱性を改善する等の工夫がなされている。また、近年では、ビデオカメラの高画質化に伴い、撮像素子や回路基板の発熱量が増大している一方、装置全体を極力小型化することが要求されている。
【０００３】
例えば、装置の小型化を考慮した情報記録再生装置として、ディスク状記録媒体が装脱可能に収容される収容部に開閉蓋を設け、この開閉蓋に蓋体を設けることで、メモリカード用収容部をデッドスペースである開閉蓋の内側に設けるようにしたものが紹介されている。（例えば、特許文献１参照）。
【０００４】
また、筐体の薄型化を可能にしたプリント基板保持構造として、プリント基板を取り付け対象部材上に定置する際に前記プリント基板を左右方向へガイドするテーパ面を有する第１のガイド部材と、前記定置後のプリント基板を前後方向にスライドさせる際に下方にガイドするテーパ面を有する第２のガイド部材とを前記取り付け対象部材に設けたものが紹介されている。（例えば、特許文献２参照）。
【特許文献１】特開２００７−１５８７５３号公報
【特許文献２】特開２００１−２９１９７８号公報
【発明の開示】
【発明が解決しようとする課題】
【０００５】
しかしながら、特許文献１には、情報の記録及び／または情報の再生を行う記録媒体として、光ディスク等のディスク状記録媒体と、メモリカード等のカード状記録媒体を用いる情報記録再生装置の小型化を達成する目的で、前記ディスク状記録媒体が収容される収容部に設けられた開閉蓋にメモリカード用収容部を設けた技術が開示されているが、記録媒体としてハードディスクとカード状記録媒体が使用される情報記録再生装置を小型化するための構成については、何ら開示がなされていない。また、装置内で発生した熱の放熱対策についても言及されていない。
【０００６】
また、特許文献２に記載されたプリント基板保持構造は、第１のガイド部材及び第２のガイド部材によってプリント基板をシャーシに固定した際に、第１のガイド部材及び第２のガイド部材が、プリント基板の前記シャーシとは反対側の面よりも突出するため、この突出した部分を収容するためのスペースを筐体内に確保する必要があり、このスペースは有効に利用されておらず、小型化の障害となっている。また、プリント基板を固定する第１のガイド部材及び第２のガイド部材にテーパ面を各々形成する必要があり、金属フレームで形成するには製造が複雑である。
【０００７】
本発明は、このような事情に鑑みなされたものであり、ハードディスク及びカード状記録媒体の両者に情報の記録及び／または情報の再生を行うことができ、前記カード状記録媒体が、筐体内で生じる熱の影響を受けることを抑制することが可能であると共に、小型化が達成された情報記録再生装置を提供することを目的とする。
【課題を解決するための手段】
【０００８】
この目的を達成するため本発明は、ハードディスク及びカード状記録媒体の両者に情報の記録及び／または情報の再生を行う情報記録再生装置であって、筐体と、前記筐体内に配設されるハードディスクドライブと、前記筐体内に配設されるカード状記録媒体用コネクタと、を備え、前記筐体は、その一側面が使用者に把持されるグリップ部となり、前記カード状記録媒体用コネクタを、前記ハードディスクドライブよりも前記グリップ部側に配設してなる情報記録再生装置を提供するものである。
【発明の効果】
【０００９】
本発明にかかる情報記録再生装置は、ハードディスク及びカード状記録媒体の両者に情報の記録及び／または情報の再生を行うことができ、前記カード状記録媒体が、筐体内で生じる熱の影響を受けることを抑制することが可能であると共に、小型化を達成することができる。
【発明を実施するための最良の形態】
【００１０】
次に、本発明の好適な実施の形態にかかる情報記録再生装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１１】
図１は、本発明の実施の形態にかかる情報記録再生装置の外観を示す斜視図、図２は、図１に示す情報記録再生装置から開閉カバーを取外した状態を示す斜視図、図３は、図１に示す情報記録再生装置の筐体及び一部の部品を取り外した状態を示す左側面図、図４は、図３に示す装置の平面図、図５は、図３に示す装置をリア側から見た図、図６は、図３に示す装置の斜視図、図７は、図６に示す装置にＨＤＤを取付けた状態を示す図、図８は、図５に示す装置にＨＤＤを取付けた状態を示す図、図９は、図８に示す装置をフロント側から見た図、図１０は、図１に示す情報記録再生装置の筐体を取り外した状態を示す斜視図、図１１は、図１０に示す装置の右側面図、図１２は、図１１に示す装置の平面図、図１３は、図１０に示す装置をリア側から見た図、図１４は、図１に示す装置に搭載されるＨＤＤの斜視図、図１５は、図１４に示すＨＤＤを反対側から見た斜視図、図１６は、図６に示す装置に搭載されるＳＤカード用ユニットを示す斜視図、図１７は、図１６に示すＳＤカード用ユニットの右側面図、図１８は、図２に示す情報記録再生装置の一部を示す右側面図、図１９は、図１８に示すXXI−XXI線に沿った一部断面図、図２０は、図１９に点線で示す部分の拡大図、図２１は、図１に示す情報記録再生装置をリア側から見た図である。
【００１２】
なお、前記各図では、説明を判り易くするため、各部材の厚さやサイズ、拡大・縮小率等は、実際のものとは一致させずに記載した。また、本実施の形態では、撮影時に撮影者側となる方を「リア側」または「後側」とし、リア側の反対側（すなわち、撮影時に被写体を向く側）を「フロント側」または「前側」として説明する。そしてまた、本実施の形態では、装置のリア側に向かって右側を「右」、装置のリア側に向かって左側を「左」として説明する。また、装置の上下方向は、撮影する際の上下方向とする。
【００１３】
図１及び図２に示すように、本実施の形態にかかる情報記録再生装置１（例えば、ビデオカメラ）は、外装を構成する筐体１１を有している。この筐体１１は、撮影者が片手で把持して操作することが可能なサイズを備え、筐体１１の右側面は、情報記録再生装置１を使用者が把持しやすいように外側に向けて湾曲したグリップ部１７となっている。（図１、図２及び図１９参照）。
【００１４】
筐体１１のフロント側上部には、撮影光学系が組み込まれた鏡筒１２が前後に延在し、その前部が筐体１１のフロント面に臨むように設けられている。鏡筒１２の上部のフロント寄りには、音声を収音するためのマイクロフォン１３が配設されている。そして、筐体１１のフロント側上部には、暗い場所で静止画を撮影する時に用いるフラッシュ１８が鏡筒１２の前部に隣接して配設されている。また、筐体１１のフロント側のフラッシュ１８の下部には、後に詳述する冷却用ファン５０によって生じた気流が排出される排気口１９（図９及び図１０参照）が形成されている。
【００１５】
一方、筐体１１のリア側には、録画の開始及び停止を行う録画ボタン１５を備えて構成されている。
【００１６】
また、筐体１１の右側面には、筐体１１内に配設されているＳＤコネクタ９０（図２、図１０〜図１３等参照）に、カード状記録媒体としてのＳＤカードを挿入する、または抜き取る際に開閉される開閉カバー１６が設けられている。さらに筐体１１のリア側下部には、図２１に示すように、筐体１１内に空気を取り入れるための吸気口２９が形成されている。
【００１７】
次に、図３〜図２０を参照して、筐体１１の内部構造について説明する。筐体１１の内部には、鏡筒１２がフロント側からリア側に向けて延出した状態で配設されており、この鏡筒１２のリア側端には、撮影光学系によって導かれた被写体像を撮像する撮像素子３０（図３〜図６等参照）が設けられている。また、この撮像素子３０の後部には、撮像素子３０で生じる熱を放熱するための放熱部材である放熱板３１が配設されている。この放熱板３１は、特に図５に示すように、リア側から見た面（表面）が略Ｌ字状を備えており、この略Ｌ字状の一端３１Ａが左側に位置し、他端３１Ｂが下部に位置している。（図３〜図６等参照）。なお、この放熱板３１は、リア側から見た面（表面）が情報記録再生装置１の左右方向に略平行となるように配設されており、特に図３に示すように、他端３１Ｂが、一端３１Ａよりもフロント側に位置するように屈曲している。
【００１８】
鏡筒１２、撮像素子３０及び放熱板３１の右側には、撮像素子３０から得た信号から映像信号を作成する信号処理回路３３や、映像の符号化と複号化を行う符号化復号化回路３４等の集積回路が実装されたメイン回路基板４０が、配設されている。このメイン回路基板４０は、図３〜図６等に示すように、右側面から見た面（表面）が情報記録再生装置１の前後方向に略平行となるように配設されている。また、メイン回路基板４０は、リア側の下部が、略長方形状に切り欠かれた形状を備えており、筐体１１の底部と、メイン回路基板４０のリア側との間にスペースを形成するようになっている。
【００１９】
放熱板３１及びメイン回路基板４０のリア側下部には、放熱板３１及びメイン回路基板４０と所定の間隔をおいて、冷却用ファン５０が配設されている。この冷却用ファン５０は、略直方体のケース５１と、ケース５１内に配設されたフィン（本実施の形態では、他の部材との位置関係を明確に示すため、フィンは図示していない）を備えている。この冷却用ファン５０は、特に図４〜図６に示すように、その右側が、メイン回路基板４０よりも右側に位置するように、筐体１１の底部とメイン回路基板４０のリア側との間に形成されたスペースに配設されている。
【００２０】
また、冷却用ファン５０の左側は、放熱板３１の他端３１Ｂがフロント側に位置することによって形成されているスペースに配設されている。すなわち、冷却用ファン５０は、特に図５に示すように、リア側から見て、左側上部が放熱板３１と重なった状態となり、右側がメイン回路基板４０と重なった状態となり、放熱板３１の他端３１Ｂのリア側から見た面（表面）は、前記気流の方向に対し略垂直になっている。したがって、冷却用ファン５０を駆動させて気流を発生させた際には、吸気口２９から筐体１１の内部に空気が導入され、これによって生じた気流の一部がメイン回路基板４０に直接当たると共に、メイン回路基板４０の右側面から見た面（表面）に沿って流通し、排気口１９から筐体１１の外部に排出されることになる。このように、前記気流の一部は、メイン回路基板４０の前記表面によって、その流路が画定される。また、気流の一部は、放熱板３１の他端３１Ｂの前記表面に直接当たることになる。以上から、前記気流により放熱板３１及びメイン回路基板４０を効率よく冷却することができる。
【００２１】
なお、本実施の形態では、冷却用ファン５０として、外部の空気を筐体１１内部に吸込む吸込式のファンを使用した。また、冷却用ファン５０をリア側に配設し、マイクロフォン１３をフロント側に配設して両者の配設位置を離したため、冷却用ファン５０の駆動音がマイクロフォン１３で集音されることを防止することもできる。そしてまた、冷却用ファン５０の駆動によって生じる気流は、リア側からフロント側へ流通し、排気口１９から外部に排出されるため、排出された気流（空気）が、撮影者に当たることを防止することもできる。
【００２２】
また、メイン回路基板４０の右側には、特に図７〜図９に示すように、ケース６１内に配設されたＨＤＤ６０が配設されている。このＨＤＤ６０の上端には、ダンバー６２が配設され、下端にはダンパー６３が配設されている。また、ＨＤＤ６０のリア側上部には、ＨＤＤ６０をメイン回路基板４０に接続するＨＤＤ用フレキシブルプリント基板６６（以下、「ＨＤＤ用ＦＰＣ」という）と、後に詳述するＳＤ用回路基板７０をメイン回路基板４０に接続するＳＤ用フレキシブルプリント基板６７（以下、「ＳＤ用ＦＰＣ」という）に分岐されたフレキシブルプリント基板６５（以下、「ＦＰＣ」という）が接続されている。このように、ＦＰＣ６５は、メイン回路基板４０及びＨＤＤ６０の上部に位置しているため、冷却用ファン５０から生じた気流の流通を妨げることがなく、前記気流により放熱板３１及びメイン回路基板４０をさらに効率よく冷却することができる。なお、構造を明確に示すため、図７は、ＦＰＣ６５を省略した状態で示し、図１０〜図１３は、ケース６１を省略した状態で示してある。
【００２３】
ケース６１は、特に図８、図１６及び図１７に示すように、その下端に、ケース６１を筐体１１の底面に固定するための固定板６８が左側に延出して形成されている。
【００２４】
ＨＤＤ６０が収容されたケース６１には、特に図１６及び図１７に示すように、ＳＤ用フレーム８０が取付けられている。このＳＤ用フレーム８０は、ケース６１の上端、下端及びリア側端で支持されている。また、このＳＤ用フレーム８０には、ＳＤ用回路基板７０が配設され、ＳＤ用回路基板７０の略中央部には、ＳＤカードが挿脱可能に挿入されるＳＤコネクタ９０が配設されている。ＳＤ用フレーム８０のＳＤコネクタ９０が配設される位置となる前後方向両側（図１７で見た左右方向両側）であって、ＳＤカードの挿入方向の奥側には、ＳＤ用回路基板７０を固定するための固定片８１及び８２が形成されている。この固定片８１及び８２は、ＳＤ用フレーム８０の右側面から見た面（表面）からほぼＳＤ用回路基板７０の厚さと同様の高さで突出しており、特に図２０に示すように、ＳＤ用フレーム８０の前記表面と固定片８１との間、ＳＤ用フレーム８０の表面と固定片８２との間に、ＳＤ用回路基板７０が挿入されるようになっている。また、固定片８１及び８２の略中央部には、螺子穴８３及び８４が各々形成されている。
【００２５】
ＳＤ用回路基板７０の上部には、特に、図１６及び図１７に示すように、ＳＤ用ＦＰＣ６７が接続されている。このＳＤ用回路基板７０は、ＳＤ用フレーム８０の前記表面と固定片８１との間、ＳＤ用フレーム８０の前記表面と固定片８２との間に、スライドして挿入され、ＳＤ用フレーム８０に配設される。このＳＤ用回路基板７０は、ＳＤ用フレーム８０に配設された際に、固定片８１及び８２に各々形成されている螺子穴８３及び８４と重なる位置に、螺子穴７３及び７４が各々形成されている。（図２０参照）。そして、このＳＤ用回路基板７０は、螺子穴７３と螺子穴８３、螺子穴７４と螺子穴８４に、ＳＤ用フレーム８０側から螺子８６及び８７が各々挿入されて、これらの螺子穴に螺合することによってＳＤ用フレーム８０に固定される。このように、ＳＤ用フレーム８０側から螺子８６及び８７を挿入して固定することで、螺子８６及び８７の頭８８及び８９がＨＤＤ６０側を向くことになる。
【００２６】
ここで、図２０に示すように、螺子８６及び８７の頭８８及び８９の厚さは、固定片８１及び８２から突出する螺子８６及び８７の先端の長さよりも短くすることができるため、ＳＤ用回路基板７０側から螺子止めする場合と比べ、ＨＤＤ６０とＳＤ用フレーム８０との間に形成するスペースを狭くすることができる。さらに、固定片８１及び８２は、ＳＤ用フレーム８０の前記表面からほぼＳＤ用回路基板７０の厚さと同様の高さで突出しており、ＳＤ用回路基板７０は、固定片８１及び８２と、ＳＤ用フレーム８０との間に位置するため、ＨＤＤ６０から頭８８及び８９をさらに離間させることができる。したがって、筐体１１を左右方向に薄型化することができる。また、頭８８及び８９は、螺子８６及び８７の先端よりも直径が大きい（すなわち、面積が広い）ため、仮に、ＨＤＤ６０が頭８８及び８９に接触したとしても、螺子８６及び８７の先端が接触した場合に比べ、ＨＤＤ６０に加わる衝撃を少なくすることができる。
【００２７】
また、ＳＤ用フレーム８０にＳＤ用回路基板７０が固定された際、螺子８６及び８７の先端は、特に図２０に示すように、固定片８１及び８２から突出するが、この螺子８６及び８７の先端は、ＳＤ用回路基板７０に配設されたＳＤコネクタ９０の厚さＨ90（図２０参照）よりも低い位置（ＳＤ用回路基板７０側）にあるため、螺子８６及び８７の突出を受領するスペースとしてＳＤ用回路基板７０を配設するためのスペースを利用することができる。したがって、螺子８６及び８７の突出が装置の小型化に悪影響を与えることはない。なお、ＳＤコネクタ９０は、下面がＳＤカードを挿入・抜脱する挿脱口９１となっている。
【００２８】
また、図１６及び図１７に示すように、ＳＤコネクタ９０の上部の前後方向両側（すなわち、ＳＤカードの挿入方向とほぼ直交する両側）が、螺子８６及び８７によって固定されている。ここで、ＳＤコネクタ９０のＳＤカード挿入方向とほぼ直交する両側であって、ＳＤカード挿入方向側は、ＳＤコネクタ９０にＳＤカードを挿入または抜脱する際に、ＳＤ用フレーム８０及びＳＤ用回路基板７０に応力がかかりやすい領域であるが、この領域に螺子８６及び８７が位置するため、ＳＤ用フレーム８０及びＳＤ用回路基板７０が前記応力によって撓むことを防止することもできる。
【００２９】
また、ＳＤコネクタ９０は、ＨＤＤ６０よりも外側に配設されているため、特に図１９に示すように、筐体１１の外側に向けて湾曲したグリップ部１７によって画定される内部空間を利用して配設することができ、筐体１１を左右方向に薄型化することができ、小型化を達成することができる。そしてまた、ＳＤコネクタ９０をＨＤＤ６０よりも外側に配設したことで、ＳＤコネクタ９０を撮像素子３０やメイン回路基板４０等の発熱部品から遠ざけた位置に配設することができる。このため、ＳＤコネクタ９０に挿入されるＳＤカードを発熱部品から生じる熱から保護することもできる。さらにまた、ＳＤ用フレーム８０がＨＤＤ６０の外側に配設されていることにより、ＨＤＤ６０を外部環境から保護することもできる。
【００３０】
そしてまた、ＨＤＤ６０とＳＤ用回路基板７０が隣接しているため、ＨＤＤ用ＦＰＣ６６とＳＤ用ＦＰＣ６７をまとめてメイン回路基板４０に接続するＦＰＣ６５とすることができ、配線が煩雑になることがなく、ＦＰＣ６５を配置するためのスペースを小さくすることもできる。
【００３１】
なお、本実施の形態では、冷却用ファン５０によって生じる気流の方向がメイン回路基板４０の表面に対し、略平行となる位置に冷却用ファン５０を配設した場合について説明したが、これに限らず、冷却用ファン５０は、所望により、前記気流がメイン回路基板４０の表面に対して、相対的に斜めの方向から当たるように傾けて配設してもよい。また、冷却用ファン５０は、前記気流が放熱板３１の表面に対して、相対的に鋭角方向（あるいは鈍角方向）から当たるように傾けて配設してもよい。
【００３２】
また、本実施の形態では、冷却用ファン５０を筐体１１のリア側下部に配設した場合について説明したが、これに限らず、冷却用ファン５０は、冷却用ファン５０によって生じる気流の少なくとも一部の流路が、メイン回路基板４０の表面によって画定される、または、前記気流が放熱板３１の表面に直接当たる、あるいはその両方を満たすことができれば、例えばリア側上部等、他の位置に配設してもよい。
【００３３】
そしてまた、本実施の形態では、外部の空気を筐体１１の内部に導入する吸込式の冷却用ファン５０を使用した場合について説明したが、これに限らず、筐体１１の内部の空気を外部に排出する吐出式の冷却用ファンを使用してもよい。この吐出式の冷却用ファンを使用する場合は、筐体１１の内部から吐出される空気が撮影者に当たることを防止するため、当該冷却用ファンは、筐体１１のフロント側に配設することが望ましい。
【００３４】
また、本実施の形態では、筐体１１の右側にグリップ部１７が形成されている情報記録再生装置１を用い、このグリップ部１７によって形成されるスペースを利用してＳＤコネクタ９０を配設するため、ＳＤコネクタ９０を、メイン回路基板４０に対し、ＨＤＤ６０を挟んだ右側に配設したが、これに限らず、ＳＤコネクタ９０は、メイン回路基板４０や撮像素子３０等の発熱部品に対し、ＨＤＤ６０を挟んだ反対側に配設されていれば、他の位置に配設されていてもよい。例えば、筐体１１を左手で握るため、グリップ部が左側に形成されている場合は、ＳＤコネクタ９０は、メイン回路基板４０に対し、ＨＤＤ６０を挟んだ左側に配設することができる。
【図面の簡単な説明】
【００３５】
【図１】本発明の実施の形態にかかる情報記録再生装置の外観を示す斜視図である。
【図２】図１に示す情報記録再生装置から開閉カバーを取外した状態を示す斜視図である。
【図３】図１に示す情報記録再生装置の筐体及び一部の部品を取り外した状態を示す左側面図である。
【図４】図３に示す装置の平面図である。
【図５】図３に示す装置をリア側から見た図である。
【図６】図３に示す装置の斜視図である。
【図７】図６に示す装置にＨＤＤを取付けた状態を示す図である。
【図８】図５に示す装置にＨＤＤを取付けた状態を示す図である。
【図９】図８に示す装置をフロント側から見た図である。
【図１０】図１に示す情報記録再生装置の筐体を取外した状態を示す斜視図である。
【図１１】図１０に示す装置の右側面図である。
【図１２】図１１に示す装置の平面図である。
【図１３】図１０に示す装置をリア側から見た図である。
【図１４】図１に示す装置に搭載されるＨＤＤの斜視図である。
【図１５】図１４に示すＨＤＤを反対側から見た斜視図である。
【図１６】図６に示す装置に搭載されるＳＤカード用ユニットを示す斜視図である。
【図１７】図１６に示すＳＤカード用ユニットの右側面図である。
【図１８】図２に示す情報記録再生装置の一部を示す右側面図である。
【図１９】図１８に示すXXI−XXI線に沿った一部断面図である。
【図２０】図１９に点線で示す部分の拡大図である。
【図２１】図１に示す情報記録再生装置をリア側から見た図である。
【符号の説明】
【００３６】
１…情報記録再生装置、  １１…筐体、  １６…開閉カバー、  １７…グリップ部、  １９…排気口、  ２９…吸気口、  ３０…撮像素子、  ３１…放熱板、  ３３…信号処理回路、  ３４…符号化復号化回路、  ４０…メイン回路基板、  ５０…冷却用ファン、  ６０…ＨＤＤ、  ６５…フレキシブルプリント基板（ＦＰＣ）、  ６６…ＨＤＤ用フレキシブルプリント基板（ＨＤＤ用ＦＰＣ）、  ６７…ＳＤ用フレキシブルプリント基板６７（ＳＤ用ＦＰＣ）、７０…ＳＤ用回路基板、  ７３、７４、８３、８４…螺子穴、  ８０…ＳＤ用フレーム、  ８１、８２…固定片、  ８６、８７…  螺子、  ９０…ＳＤコネクタ
【図１】
2009171452.tif 000003
【図２】
2009171452.tif 000004
【図３】
2009171452.tif 000005
【図４】
2009171452.tif 000006
【図５】
2009171452.tif 000007
【図６】
2009171452.tif 000008
【図７】
2009171452.tif 000009
【図８】
2009171452.tif 000010
【図９】
2009171452.tif 000011
【図１０】
2009171452.tif 000012
【図１１】
2009171452.tif 000013
【図１２】
2009171452.tif 000014
【図１３】
2009171452.tif 000015
【図１４】
2009171452.tif 000016
【図１５】
2009171452.tif 000017
【図１６】
2009171452.tif 000018
【図１７】
2009171452.tif 000019
【図１８】
2009171452.tif 000020
【図１９】
2009171452.tif 000021
【図２０】
2009171452.tif 000022
【図２１】
2009171452.tif 000023